(57)【特許請求の範囲】
【請求項１】
量水器と配管を接続するナットを回転させる際に量水器の共回りを防止するため量水器を保持する量水器共回り防止用保持具であって、
棒状のハンドルの下端部に量水器を保持する量水器保持部が設けられ、
量水器保持部は、ハンドルの下端に設けられ、量水器の側部を抑える量水器押さえ部材と、前記側部と反対側の側部を押さえるフックを支持するとともに、ハンドルに上下方向に回動自在に取り付けられているアームとからなることを特徴とする量水器共回り防止用保持具。
【請求項２】
前記フックはスライド可能にアームに支持され、
フックには、フックのスライドにより所定の大きさの量水器に合うようにフックの位置をロックするフックロックレバーが上下方向に回動自在に軸支され、
フックロックレバーには、アームに所定の大きさの量水器毎に合わせて間隔をおいて形成されたロック孔に係合する、ロック孔側に付勢されたロックピンが設けられていることを特徴とする請求項１記載の量水器共回り防止用保持具。
【発明の詳細な説明】
【０００１】
【発明の属する技術分野】
本発明は、量水器を水道水などの配管に接続あるいは取り外すため、ナットを締め付けたりあるいは緩めたりする場合に、量水器が共回りするのを防止するため、量水器を保持する量水器共回り防止用保持具に関するものである。
【０００２】
【従来の技術】
量水器は、水道水の使用量を測定するために水道配管の途中に水道水が流入・流出するように取り付けられている。
【０００３】
図４は、量水器と配管の接続を説明するための分解斜視図である。図４（ａ）において、量水器３の両側には、それぞれの外周にらせんネジ３２が形成されている。水道水が流入する流入側ジョイント３３に、専用の止水栓３５の水道水が流出する流出側に取り付けられているナット３６と流入側ジョイント３３との間に専用ゴムパッキン４０をはさみ込み、ナット３６を回転させることにより量水器３と止水栓３５を接続固定される。
【０００４】
止水栓３５の流入側ジョイント３７の外周にはらせんネジ３２が形成されており、図４（ｂ）に示すガイドナット３８に専用のつば付きパイプ３９を挿入し、専用のゴムパッキン４０を止水栓３５の入側ジョイント３７とつば付パイプ３９のつば部に密着させるようにし、ガイドナット３８を回転させ、止水栓３５と専用つば付パイプ３９を接続固定する。
【０００５】
量水器３の水道水が流出する流出側ジョイント３４とつば付パイプ３９との接続固定は、止水栓３５の流入側ジョイント３７とつば付パイプ３９の接続固定と同様の要領で行う。なお、止水栓３５とつば付パイプ３９に接続固定された量水器３を取り外す場合には、ナット３６とガイドナット３８をスパナで逆回転させて取り外す。
【０００６】
【発明が解決しようとする課題】
量水器を交換などで取り外すため、ナットをスパナで回転させる場合、量水器がナットと一緒に回る、いわゆる共回りするのを防止するため、手で量水器を押さえて量水器が回転しないようにしている。
【０００７】
しかしながら、量水器とナットが錆びによる固着や強固な締め付けのために、手で押さえただけでは量水器が共回りしてナットを容易に緩めることができず、作業に手間取っていた。また、量水器を取り付ける場合にも締め付ける際にナットと共回りするため、きつく締め付けるのに手間がかかることもあった。
【０００８】
そこで、本発明は、ナットを回転させる際に量水器が共回りするのを防止することができ、ナットを緩めたり締めたりするのに手間が掛からない量水器共回り防止用保持具を提供するものである。
【０００９】
【課題を解決するための手段】
本発明は、量水器と配管を接続するナットを回転させる際に量水器の共回りを防止するため量水器を保持する量水器共回り防止用保持具であって、棒状のハンドルの下端部に量水器を保持する量水器保持部が設けられ、量水器保持部は、ハンドルの下端に設けられ、量水器の側部を抑える量水器押さえ部材と、前記側部と反対側の側部を押さえるフックを支持するとともに、ハンドルに上下方向に回動自在に取り付けられているアームとからなることを特徴とする。
【００１０】
前記フックはスライド可能にアームに支持され、フックには、フックのスライドにより所定の大きさの量水器に合うようにフックの位置をロックするフックロックレバーが上下方向に回動自在に軸支され、フックロックレバーには、アームに所定の大きさの量水器毎に合わせて間隔をおいて形成されたロック孔に係合する、ロック孔側に付勢されたロックピンを設けるように構成してもよい。
【００１１】
【発明の実施の形態】
図１は本発明の量水器共回り防止用保持具の斜視図、図２（ａ）は同正面図、（ｂ）はアームを下方から視た図、（ｃ）はフックロックレバーの正面図、（ｄ）はアームの平面図である。
【００１２】
棒状のハンドル１の上端部にハンドル１を保持するグリップ２が設けられ、下端部に量水器３を保持する量水器保持部４が設けられている。
【００１３】
ハンドル１には鋼管あるいは鋼棒を使用する。また、グリップ２はハンドル１の持つ位置を決めるとともに、持ち易く、また滑りにくくするため凹凸や溝を形成したゴムなどの弾性体を使用する。
【００１４】
量水器保持部４は、ハンドル１の下端に水平に伸びる量水器押さえ部材５が設けられ、フック６をスライド可能に支持するアーム７がハンドル１に蝶番８で上下方向に回動自在に取り付けられている。量水器押さえ部材５の先端は、量水器３の側部を押さえやすいように円弧状の凹みを形成する。なお、各種大きさの量水器毎に量水器共回り防止用保持具を用意する場合は、フック６をアーム７にスライドさせることなく、固定してあるいは一体に設けてもよい。
【００１５】
フック６には、各種大きさの量水器３に合うようにフック６をスライドさせ、フック６の位置をロックするフックロックレバー９が設けられている。
【００１６】
フックロックレバー９は、その中央の両側に形成されたピン支持片１０がフック６に対して回動自在にピン１１によりフック６に軸支されている。フックロックレバー９には、ピン１１を挟んで一方の側にはロックピン１２が形成され、他方の側にはスプリングガイド１３を介してスプリング１４が設けられている。
【００１７】
図２に示すように、ロックピン１２は、フック６の孔１５から延びてアーム７のロック孔１６に係合する。ロックピン１２は、スプリング１４によりロック孔１６側に付勢されており、スプリング１４側を押さえることにより、ロック孔１６から外れて、フック６がスライドさせることができる。フック６の先端は内側に曲げられて量水器３の計器枠３ａの下側部を押さえる押さえ部１７が形成されている。押さえ部１７の先端は、量水器３の側部を押さえやすいように円弧状の凹みを形成する。
【００１８】
アーム７のロック孔１６は各種大きさの量水器３に合わせて間隔をおいて設けられている。
【００１９】
次に、本発明の量水器共回り防止用保持具の使用方法について説明する。
【００２０】
図３は本発明の量水器共回り防止用保持具の使用手順を示す図である。
【００２１】
（１）フックロックレバー９のスプリング１４を押さえてロックピン１２をアーム７のロック孔１６から抜いてフック６をスライドさせ、量水器３の大きさに合わせた位置でスプリング１４を元に戻し、ロックピン１２をロック孔１６に入れる（図３（ａ）参照）。
【００２２】
（２）アーム７を上方に回動させた状態でナットの回転方向の反対側に量水器押さえ部材５を量水器の一方の側部にあて、アーム７を下方に回動させ、フック６の先端の押さえ部１７を量水器３の他方の側部で計器枠３ａの下方に当てる（図３（ｂ）参照）。ハンドル１を垂直にすると、量水器共回り防止用保持具が量水器３に保持される（図３（ｃ）参照）。
【００２３】
（３）量水器３が量水器共回り防止用保持具に保持されている状態でハンドル１のグリップ２を握り、スパナでナットを回転させる。ナットの回転方向と逆の方向にハンドルの受け力を作用させれば、ハンドルのてこの作用により大きな力を必要とすることなく量水器の共回りを防止しながらナットを回転させることが出来る。
【００２４】
【発明の効果】
本発明によれば、ハンドルは、てこの原理で量水器を大きい力で保持することができるので、ナットの回転により量水器を共回りさせることなくナットを回転させることができる。そのため作業に手間が掛からず、作業効率が従来に比べて向上する。
【図面の簡単な説明】
【図１】  本発明の量水器共回り防止用保持具の斜視図である。
【図２】  本発明の量水器共回り防止用保持具のアームを示し、（ａ）は正面図、（ｂ）は下方から視た図、（ｃ）はフックロックレバーの正面図、（ｄ）は平面図である。
【図３】本発明の量水器共回り防止用保持具の使用手順を示す図である。
【図４】  量水器と配管の接続を説明するための分解斜視図である。
【符号の説明】
１：ハンドル  ２：グリップ  ３：量水器  ３ａ：計器枠  ４：量水器保持部
５：量水器押さえ部材  ６：フック  ７：アーム  ８：蝶番  ９：フックロックレバー  １０：ピン支持片  １１：ピン  １２：ロックピン  １３：スプリングガイド  １４：スプリング  １５：フックの孔  １６：ロック孔  ３２：らせんネジ  ３３：流入側ジョイント  ３４：流出側ジョイント  ３５：止水栓  ３６：ナット  ３７：流入側ジョイント  ３８：ガイドナット  ３９：つば付パイプ４０：ゴムパッキン
【図１】
0003745995.tif 000002
【図２】
0003745995.tif 000003
【図３】
0003745995.tif 000004
【図４】
0003745995.tif 000005